(57)【特許請求の範囲】
【請求項１】
微生物の特性を示す情報を受け付けて微生物の同定を行い、微生物の同定の結果を利用者に対して出力する微生物データベースシステムとともに用いられ、微生物の提供者に関する情報を受け付ける提供者情報受付手段と、この提供者情報受付手段が受け付けた微生物の提供者に関する情報を記憶しておく提供者情報仮記憶手段と、与信情報を照会させるべくこの提供者情報仮記憶手段に記憶した微生物の提供者に関する情報を外部に送信する与信問合せ手段と、与信情報を外部から受け付ける与信情報受付手段と、微生物の特性に関する情報を受け付ける微生物情報受付手段と、この微生物情報受付手段が受け付けた前記微生物の特性に関する情報を記憶しておく微生物特性データベースと、前記与信情報受付手段が受け付けた与信情報に基づき前記微生物特性データベースに記憶しておいた前記微生物の特性に関する情報に基づく該微生物の同定の可否を判定する受託決定手段と、この受託決定手段が前記微生物の特性に関する情報に基づく該微生物の同定を可と判定した場合に該微生物の同定を行わせるべく前記微生物の特性に関する情報を前記微生物データベースシステムに送信する微生物問い合わせ手段と、前記微生物データベースシステムから微生物同定情報を受け付ける微生物同定情報受付手段と、この微生物同定情報受付手段が受け付けた微生物同定情報をキーとして、該微生物同定情報に関連付けて予めルールテーブルに記憶した微生物の金銭的価値を示す数値データであるポテンシャルバリューを照会することによりポテンシャルバリューを決定するポテンシャルバリュー決定手段と、このポテンシャルバリュー決定手段が決定したポテンシャルバリューに対応し提供者側端末によりポテンシャルバリューを提供者が認識可能な形で出力するための情報であるポテンシャルバリュー対応情報を出力するポテンシャルバリュー対応情報出力手段とを具備することを特徴とする微生物情報管理システム。
【請求項２】
前記微生物データベースシステムから微生物同定情報を受け付ける受信インタフェースと、微生物同定情報と持ち込まれた微生物を利用して事業を行った際に提供者が受け取る推定配当額を示す数値データであるポテンシャルリターン情報とを対応付けて記憶しているデータベースと、前記データベースに微生物同定情報に対応付けられて記憶されたポテンシャルリターン情報の送信を行う送信インタフェースとを有するシミュレーションシステムとともに用いられ、前記シミュレーションシステムからポテンシャルリターン情報を受け付けるポテンシャルリターン情報受付手段と、このポテンシャルリターン情報受付手段が受け付けたポテンシャルリターン情報を提供者が認識可能な形で提供者側の端末に出力するポテンシャルリターン情報出力手段とを具備することを特徴とする請求項１記載の微生物情報管理システム。
【請求項３】
前記受託決定手段が前記微生物の特性に関する情報に基づく該微生物の同定を不可であると判定した場合、サービスの利用が不可能であることを示すサービス不可情報を出力するサービス不可情報送信手段を具備することを特徴とする請求項１又は２記載の微生物情報管理システム。
【請求項４】
微生物の特性を示す情報を受け付けて微生物の同定を行い、微生物の同定の結果を利用者に対して出力する微生物データベースシステムとともに用いられる情報処理装置を、微生物の提供者に関する情報を受け付ける提供者情報受付手段、この提供者情報受付手段が受け付けた微生物の提供者に関する情報を記憶しておく提供者情報仮記憶手段、与信情報を照会させるべくこの提供者情報仮記憶手段に記憶した微生物の提供者に関する情報を外部に送信する与信問合せ手段、与信情報を外部から受け付ける与信情報受付手段、微生物の特性に関する情報を受け付ける微生物情報受付手段、この微生物情報受付手段が受け付けた前記微生物の特性に関する情報を記憶しておく微生物特性データベース、前記与信情報受付手段が受け付けた与信情報に基づき前記微生物特性データベースに記憶しておいた前記微生物の特性に関する情報に基づく該微生物の同定の可否を判定する受託決定手段、この受託決定手段が前記微生物の特性に関する情報に基づく該微生物の同定を可と判定した場合に該微生物の同定を行わせるべく前記微生物の特性に関する情報を前記微生物データベースシステムに送信する微生物問い合わせ手段、前記微生物データベースシステムから微生物同定情報を受け付ける微生物同定情報受付手段、この微生物同定情報受付手段が受け付けた微生物同定情報をキーとして、該微生物同定情報に関連付けて予めルールテーブルに記憶した微生物の金銭的価値を示す数値データであるポテンシャルバリューを照会することによりポテンシャルバリューを決定するポテンシャルバリュー決定手段、及びこのポテンシャルバリュー決定手段が決定したポテンシャルバリューに対応し提供者側端末によりポテンシャルバリューを提供者が認識可能な形で出力するための情報であるポテンシャルバリュー対応情報を出力するポテンシャルバリュー対応情報出力手段として機能させることを特徴とする微生物情報管理プログラム。
【請求項５】
前記微生物データベースシステムから微生物同定情報を受け付ける受信インタフェースと、微生物同定情報と持ち込まれた微生物を利用して事業を行った際に提供者が受け取る推定配当額を示す数値データであるポテンシャルリターン情報とを対応付けて記憶しているデータベースと、前記データベースに微生物同定情報に対応付けられて記憶されたポテンシャルリターン情報の送信を行う送信インタフェースとを有するシミュレーションシステムとともに用いられる前記情報処理装置を、前記シミュレーションシステムからポテンシャルリターン情報を受け付けるポテンシャルリターン情報受付手段、及びこのポテンシャルリターン情報受付手段が受け付けたポテンシャルリターン情報を提供者が認識可能な形で提供者側の端末に出力するポテンシャルリターン情報出力手段として機能させることを特徴とする請求項４記載の微生物情報管理プログラム。
【発明の詳細な説明】
【技術分野】
【０００１】
本発明は、微生物提供者の与信情報を与信システムに問い合わせ、結果に応じて微生物情報を微生物特定システムに送信し、微生物のポテンシャルバリューに対応する情報を出力することが可能な微生物情報管理システム及び微生物情報管理プログラムに関する。
【背景技術】
【０００２】
従来、産業廃棄物のうち、食べ残し、野菜や魚等の食用に適さない部位、出汁ガラ等の食品廃棄物の処理は、その多くが、焼却や埋め立てにより行われてきている。例えば、ペースト状高濃度有機廃棄物の処理を行う方法の一つとして、食品廃棄物を多孔質可燃物に混合し、そのまま、又は乾燥後加熱燃焼させる方法が考えられている（特許文献１参照）。
【特許文献１】特開平１１−３５１５３９号公報
【発明の開示】
【発明が解決しようとする課題】
【０００３】
ところで、有機廃棄物を焼却すると多量の二酸化炭素が発生し、環境に負荷がかかる。また、そのまま埋め立てる場合、また、焼却処分を行った後に焼却灰が発生した場合、廃棄物や焼却灰を埋め立て処理場に運搬する必要があるが、埋め立て処理場の処理能力はすでに限界近くに達している。このため、環境に負荷をかけず、また、埋め立て処理を必要としない新たな処分方法が必要とされている。
【０００４】
この課題、すなわち、環境に負荷をかけず、また、埋め立て処理を必要としない新たな処分方法が必要とされるという課題は、食品廃棄物に限らず、有機廃棄物の処理一般に関わる。
【０００５】
そこで、微生物を利用して食品廃棄物等の有機廃棄物を分解し、水素やメタン等の有用なガスを取り出して燃料として使用することや、分解後の有機廃棄物を肥料として再利用することが考えられている。
【０００６】
この微生物を利用した有機廃棄物の分解処理を事業化するにあたり、微生物の預託を受け付け、預託された微生物の価値に応じて微生物を預託した者に利子に対応する現金等を支払うことが考えられているが、その際、採取環境等の微生物の特性から微生物の価値を判定すること、及び信用度の低い人物からの預託を断ること等が必要とされる。
【０００７】
本発明は、以上に述べた課題を解決すべく構成するものである。
【課題を解決するための手段】
【０００８】
すなわち本発明に係る微生物情報管理システムは、微生物の特性を示す情報を受け付けて微生物の同定を行い、微生物の同定の結果を利用者に対して出力する微生物データベースシステムとともに用いられ、微生物の提供者に関する情報を受け付ける提供者情報受付手段と、この提供者情報受付手段が受け付けた微生物の提供者に関する情報を記憶しておく提供者情報仮記憶手段と、与信情報を照会させるべくこの提供者情報仮記憶手段に記憶した微生物の提供者に関する情報を外部に送信する与信問合せ手段と、与信情報を外部から受け付ける与信情報受付手段と、微生物の特性に関する情報を受け付ける微生物情報受付手段と、この微生物情報受付手段が受け付けた前記微生物の特性に関する情報を記憶しておく微生物特性データベースと、前記与信情報受付手段が受け付けた与信情報に基づき前記微生物特性データベースに記憶しておいた前記微生物の特性に関する情報に基づく該微生物の同定の可否を判定する受託決定手段と、この受託決定手段が前記微生物の特性に関する情報に基づく該微生物の同定を可と判定した場合に該微生物の同定を行わせるべく前記微生物の特性に関する情報を前記微生物データベースシステムに送信する微生物問い合わせ手段と、前記微生物データベースシステムから微生物同定情報を受け付ける微生物同定情報受付手段と、この微生物同定情報受付手段が受け付けた微生物同定情報をキーとして、該微生物同定情報に関連付けて予めルールテーブルに記憶した微生物の金銭的価値を示す数値データであるポテンシャルバリューを照会することによりポテンシャルバリューを決定するポテンシャルバリュー決定手段と、このポテンシャルバリュー決定手段が決定したポテンシャルバリューに対応し提供者側端末によりポテンシャルバリューを提供者が認識可能な形で出力するための情報であるポテンシャルバリュー対応情報を出力するポテンシャルバリュー対応情報出力手段とを具備することを特徴とする。
【０００９】
このようなものであれば、微生物を利用して有機廃棄物の処分を行うにあたり、信用度の低い者の利用を排除しつつ、微生物を示す情報を送信して微生物の同定を促すまでの操作を自動的に行うことができるとともに、微生物の同定が行われた場合にポテンシャルバリューを決定して利用者に通知する動作も自動的に行わせることができる。
【００１０】
さらに、前記ポテンシャルバリュー決定手段が、前記微生物同定情報をキーとして該微生物同定情報に関連付けて予めルールテーブルに記憶した前記ポテンシャルバリューを参照するので、前記微生物同定情報受付手段が受け付けた微生物同定情報をキーとしてルールテーブルを照会することにより、ポテンシャルバリューを速やかに決定できる。
【００１１】
また、持ち込まれた微生物を利用して事業を行った場合に、微生物を持ち込んだ者に事業の利益から配当を行う際の推定配当額を通知できるようにするための態様として、前記微生物データベースシステムから微生物同定情報を受け付ける受信インタフェースと、微生物同定情報と持ち込まれた微生物を利用して事業を行った際に提供者が受け取る推定配当額を示す数値データであるポテンシャルリターン情報とを対応付けて記憶しているデータベースと、前記データベースに微生物同定情報に対応付けられて記憶されたポテンシャルリターン情報の送信を行う送信インタフェースとを有するシミュレーションシステムとともに用いられ、前記シミュレーションシステムからポテンシャルリターン情報を受け付けるポテンシャルリターン情報受付手段と、このポテンシャルリターン情報受付手段が受け付けたポテンシャルリターン情報を提供者が認識可能な形で出力するポテンシャルリターン情報出力手段とを具備するものが挙げられる。
【００１２】
そして、前記受託決定手段が前記微生物の特性に関する情報に基づく該微生物の同定を不可であると判定した場合、サービスの利用が不可能であることを示すサービス不可情報を出力するサービス不可情報送信手段をさらに具備するものであれば、信用度の低い者が微生物を提供した場合に、サービスの利用が不可能であることを確実に通知できる。
【発明の効果】
【００１３】
本発明に係る微生物情報管理システムによれば、微生物を利用して有機廃棄物の処分を行うにあたり、信用度の低い者の利用を排除しつつ、微生物を示す情報を送信して微生物の同定を促すまでの操作を自動的に行うことができるとともに、微生物の同定が行われた場合にポテンシャルバリューを決定して利用者に通知する動作も自動的に行わせることができる。さらに、前記ポテンシャルバリュー決定手段が、前記微生物同定情報をキーとして該微生物同定情報に関連付けて予めルールテーブルに記憶した前記ポテンシャルバリューを照会するので、前記微生物同定情報受付手段が受け付けた微生物同定情報をキーとしてルールテーブルを照会することにより、ポテンシャルバリューを速やかに決定できる。
【発明を実施するための最良の形態】
【００１４】
以下、本発明の一実施形態を、図面を参照して説明する。
【００１５】
本実施形態に係る微生物情報管理システムは、図１に概略図を示すような微生物を利用した廃棄物処理系に用いられる。
【００１６】
この廃棄物処理系は、利用者から微生物の特性を示す情報及び利用者を示す情報を受け付ける微生物情報管理システム（以下マイクロバイオバンクシステム１と称する）と、この微生物情報管理システムから微生物の特性を示す情報を受け付けて微生物の同定を行うとともに、微生物の同定の結果を利用者に対して出力する微生物データベースシステム（以下微生物特定システム３と称する）と、この微生物特定システム３が有する微生物情報に基づき実際に微生物を培養するとともに培養した微生物を用いて廃棄物を分解する廃棄物分解装置５と、この廃棄物分解装置５の運用結果に基づき微生物のより最適な培養条件や微生物が廃棄物を分解する能力を検証する検証機関６とを有する。そして、前記検証機関６による検証結果を微生物特定システム３が有する微生物情報に反映させるようにしている。
【００１７】
ここで、本実施形態に係るマイクロバイオバンクシステム１は、図２に概要を示すような情報処理装置１ｘを用いて形成している。この情報処理装置１ｘは、サーバコンピュータを主体とする。このサーバコンピュータは、例えば、図２に示すように、ＣＰＵ１ａ、内部メモリ１ｂ、外部記憶装置１ｃ、入出力インタフェース１ｄ等のハードウェア資源を備えるとともに、前記入出力インタフェース１ｄに、入力装置１ｅ、出力装置１ｆ、通信装置１ｇを少なくとも接続してなる。外部記憶装置１ｃは、ハードディスクドライブ、フラッシュメモリ、光ディスクドライブ、その他である。入力装置１ｅは、手指で操作可能な押下ボタン、キーボードや、マウス、トラックパッド、タッチパネル等のポインティングデバイスである。出力装置１ｆは、ディスプレイ、プリンタ等である。通信装置１ｇは、モデム等、信号を通信回線上で利用可能な形式に変換する装置である。
【００１８】
通常、ＣＰＵ１ａによって実行されるべきプログラムが外部記憶装置１ｃに格納されており、このプログラムを外部記憶装置１ｃから内部メモリ１ｂに読み込まれ、ＣＰＵ１ａによって実行するようにしている。本実施形態では、既知のＯＳ（Ｏｐｅｒａｔｉｎｇ  Ｓｙｓｔｅｍ）プログラムやこれに付帯する各種デバイスドライバプログラムが予めインストールされ、他のプログラムによる上記ハードウェア資源の利用を仲介する。並びに、ウェブサーバプログラムや電子メールサーバプログラムが予めインストールされ、ウェブサーバ等として働く。その上で、本発明に係るマイクロバイオバンクシステム１を構成するために必要となるプログラムが、ウェブサーバまたは電子メールサーバに対するバックエンドプログラムとしてインストールされている。そして、ＣＰＵ１ａがこれらプログラムを実行することにより、この情報処理装置１ｘの前記各ハードウェア資源が、図３に示すように、提供者情報受付手段１０１、提供者情報仮記憶手段１０２、与信問合せ手段１０３、与信情報受付手段１０４、微生物情報受付手段１０５、微生物特性データベース１０６、受託決定手段１０７、微生物問合せ手段１０８、微生物同定情報受付手段１０９、ポテンシャルバリュー決定手段１１０、ポテンシャルバリュー対応情報出力手段１１１、ポテンシャルリターン情報受付手段１１２、ポテンシャルリターン情報出力手段１１３、及びサービス不可情報送信手段１１４としての機能を発揮する。
【００１９】
提供者情報受付手段１０１は、本実施形態では、操作入力装置１ｆを介して微生物の提供者に関する情報である微生物提供者情報を受け付ける。ここで、前記微生物提供者情報は、住所、氏名、職業、勤務先、年齢、及びその他特記事項の組み合わせである。さらに、本実施形態では、前記微生物提供者情報には固有の番号を付してある。なお、操作入力装置１ｆを介して微生物提供者情報を受け付ける代わりに、通信インタフェース１ｇを介して提供署側の端末から微生物提供者情報を受け付けるようにしてもよい。
【００２０】
提供者情報仮記憶手段１０２は、前記提供者情報受付手段１０１が受け付けた微生物提供者情報を図４に示すような態様で記憶しておく。ここで、前記図４の各行が、微生物提供者情報に対応する。
【００２１】
与信問合せ手段１０３は、前記提供者情報仮記憶手段１０２に記憶しておいた微生物提供者情報を通信インタフェース１ｇを介して与信機関たる与信システム２に送信し、与信データベース２ａへの照会を促す。前記与信システム２は、本実施形態では、微生物提供者情報を受け付ける受信インタフェースと、微生物提供者情報と与信情報とを対応付けて記憶している与信データベース２ａと、与信情報の送信を行う送信インタフェースとを少なくとも有する。なお、与信機関は、銀行等の金融機関や各種信用調査機関等であってもよく、これら金融機関や各種信用調査機関等が微生物提供者情報に基づき与信情報を決定する態様も考えられる。この場合、微生物提供者情報は、与信機関に備えられ、与信情報を決定する者、ないし与信情報を決定すべく他の情報処理装置に微生物提供者情報を入力する作業を行う者等が操作する端末にむけ送信される。また、前記与信情報は、本実施形態では、微生物提供者を信用能力の高い者から順に「５」、「４」、「３」、「２」、「１」の５段階に格付けして示した５値の変数である。さらに、微生物提供者情報に基づき与信情報を決定する作業は人力で行うようにしてもよい。
【００２２】
与信情報受付手段１０４は、通信インタフェース１ｇを介して与信システム２から出力された与信情報を受け付ける。ここで、与信機関は、銀行等の金融機関や各種信用調査機関等である場合には、該金融機関や各種信用調査機関等に備えた端末から送信される。
【００２３】
微生物情報受付手段１０５は、本実施形態では、操作入力装置１ｆを介して微生物の特性に関する情報である微生物特性情報を受け付ける。ここで、前記微生物特性情報は、採取場所、採取場所の状態、採取した微生物の集合体の特性、及びその他特記事項の組み合わせである。さらに、本実施形態では、前記微生物特性情報には、この微生物特定情報に対応する微生物を提供した者に対応する前記微生物提供者情報と同一の番号を付していて、この番号により前記微生物提供者情報と関連付けている。なお、操作入力装置１ｆを介して微生物特性情報を受け付ける代わりに、通信インタフェース１ｇを介して提供者側の端末から微生物特性情報を受け付けるようにしてもよい。
【００２４】
微生物特性データベース１０６は、前記微生物情報受付手段１０５が受け付けた微生物特性情報を該微生物情報受付手段１０５から受け取り、外部記憶装置１ｃの所定領域に図５に示すような態様で記憶する。ここで、前記図５の各行が、微生物特性情報に対応する。
【００２５】
受託決定手段１０７は、前記与信情報受付手段１０１が受け付けた与信情報に基づき微生物特性情報の送信の可否を判定する。具体的には、前記与信情報が「３」、「４」、又は「５」のいずれかである場合に、微生物特性データベース１０６に記憶した微生物特性情報の送信を可と判定する。
【００２６】
微生物問合せ手段１０８は、前記微生物特性データベース１０７に記憶した微生物特性情報を通信インタフェース１ｇを介して微生物特定機関たる微生物特定システム３に送信する。前記微生物特定システム３は、本実施形態では、微生物特性情報を受け付ける受信インタフェースと、微生物特性情報と微生物同定情報とを対応付けて記憶しているマイクロバイオウェアデータベース３ａと、微生物同定情報の送信を行う送信インタフェースとを少なくとも有する。また、この微生物特定システム３は、微生物特性情報を他に設けた端末に送信して外部微生物データベース３ｂへの微生物同定情報の照会を促す機能、及び照会結果の微生物同定情報を受信する機能も有する。前記マイクロバイオウェアデータベース３ａ及び外部微生物データベース３ｂは、新種の微生物の発見等を受けて更新可能に構成している。なお、微生物特定機関は、大学や、企業や、国公立研究機関や、各種非営利組織等であってもよく、これら大学、企業、国公立研究機関、及び各種非営利組織等が微生物特性情報に基づき微生物を同定する態様も考えられる。この場合、微生物特性情報は、微生物特定機関に備えられ、微生物特性情報を入力し微生物同定情報を照会する作業を行う者等が操作する端末にむけ送信される。さらに、微生物特性情報に基づき微生物を同定する作業は人力で行うようにしてもよい。
【００２７】
微生物同定情報受付手段１０９は、微生物の具体的な同定結果を示す情報である微生物同定情報を、通信インタフェース１ｇを介して微生物特定システムから受け付ける。ここで、前記微生物同定情報は、微生物が属する具体的な種、あるいは新種の微生物であれば微生物が属する具体的な属等の上位分類を示す。
【００２８】
ポテンシャルバリュー決定手段１１０は、前記微生物同定情報受付手段１０９が受け付けた微生物同定情報に基づきポテンシャルバリューを決定する。具体的には、微生物同定情報が示す微生物の種又は属等をキーとして、前記種又は属等に対応するポテンシャルバリューを照会し、照会結果をそのままポテンシャルバリューとして決定する。
【００２９】
ポテンシャルバリュー対応情報出力手段１１１は、前記ポテンシャルバリュー決定手段１１０が決定したポテンシャルバリューに対応するポテンシャルバリュー対応情報を、通信インタフェース１ｇを介して提供者側の端末に出力する。なお、ポテンシャルバリュー対応情報を提供者側に郵送やファクシミリ等の手段により送付可能にすべく、出力装置１ｄを介してポテンシャルバリュー対応情報を印字する態様を採用してもよい。また、図３では、ポテンシャルバリュー対応情報は「ＰＶ情報」と略記している。
【００３０】
ポテンシャルリターン情報受付手段１１２は、外部、本実施形態では微生物特定システム３から通信インタフェース１ｇを介してポテンシャルリターン情報を受け付ける。なお、ポテンシャルリターンは、本実施形態では、微生物特定システム３から微生物同定情報をシミュレーション機関たるシミュレーションシステム４に出力し、このシミュレーションシステム４が前記微生物同定情報に基づき決定するようにしている。そして、決定されたポテンシャルリターンに対応するポテンシャルリターン対応情報を微生物特定システム３に送信するようにしている。前記シミュレーションシステム４は、図示は省略するが、微生物同定情報を受け付ける受信インタフェースと、微生物同定情報とポテンシャルリターンとを対応付けて記憶しているデータベースと、ポテンシャルリターンの送信を行う送信インタフェースとを少なくとも有する。なお、シミュレーション機関は、微生物同定情報を受け付ける受信インタフェースを有する端末と、ポテンシャルリターンの送信を行う送信インタフェースを有する端末と、前記微生物同定情報に基づきポテンシャルリターンを決定する機能を有する情報処理装置とを有するものであってもよく、また、前記微生物同定情報に基づきポテンシャルリターンを決定する作業は人力により行うようにしてもよい。さらに、決定されたポテンシャルリターンは、直接ポテンシャルリターン情報受付手段１１２に送信してもよい。なお、図３では、ポテンシャルリターン対応情報は「ＰＲ情報」と略記している。
【００３１】
ポテンシャルリターン情報出力手段１１３は、前記ポテンシャルリターン情報受付手段１１２が受け付けたポテンシャルリターン対応情報を、通信インタフェース１ｇを介して提供者側の端末に出力する。なお、ポテンシャルバリュー対応情報を提供者側に郵送やファクシミリ等の手段により送付可能にすべく、出力装置１ｄを介してポテンシャルバリュー対応情報を印字する態様を採用してもよい。
【００３２】
サービス不可情報送信手段１１４は、前記受託決定手段１０６が微生物特性情報の送信を不可であると判定した場合、すなわち本実施形態では、前記与信情報が「１」又は「２」のいずれかである場合に、サービスの利用が不可能であることを示すサービス不可情報を、通信インタフェース１ｇを介して提供者側の端末に出力する。なお、サービス不可情報を提供者側に郵送やファクシミリ等の手段により送付可能にすべく、出力装置１ｄを介してサービス不可情報を印字する態様を採用してもよい。
【００３３】
このマイクロバイオバンクシステム１が行う処理の流れを、フローチャートである図６〜図９を参照しつつ以下に述べる。
【００３４】
まず、提供者情報受付手段１０１により、微生物提供者情報を受け付ける（ステップＳ１０１）。
【００３５】
その後、提供者情報仮記憶手段１０２に、微生物提供者情報を記憶する（ステップＳ１０２）。
【００３６】
次いで、微生物情報受付手段１０５により、微生物特性情報を受け付ける（ステップＳ１０３）。
【００３７】
その後、微生物特性データベース１０６に、微生物特性情報を記憶する（ステップＳ１０４）。
【００３８】
それから、与信問合せ手段１０３により、前記提供者情報仮記憶手段１０２に記憶しておいた微生物提供者情報を通信インタフェース１ｇを介して与信システム２に送信する（ステップＳ１０５）。ここまでの処理の流れを図６に示す。
【００３９】
さらに、与信情報受付手段１０４により、与信システム２から出力された与信情報を受け付ける（ステップＳ１０６）。
【００４０】
これを受けて、受託決定手段１０６が、前記与信情報受付手段１０４が受け付けた与信情報に基づき前記微生物情報受付手段１０５が受け付けて微生物特性データベース１０６に記憶した微生物特性情報の送信の可否を判定する（ステップＳ１０７）。前記与信情報が「３」、「４」、又は「５」のいずれかである場合は、微生物特性情報の送信を可と判定する。一方、前記与信情報が「１」又は「２」のいずれかである場合は、微生物特性情報の送信を不可と判定する。
【００４１】
前記ステップＳ１０７により微生物特性情報の送信が可と判定された場合、微生物問合せ手段１０８が、前記微生物特性データベース１０７に記憶した微生物特性情報を通信インタフェース１ｇを介して微生物特定システム３に送信する（ステップＳ１０８）。
【００４２】
一方、前記ステップＳ１０６により微生物特性情報の送信が不可と判定された場合は、サービス不可情報送信手段１１４により提供者にサービスの利用が不可であることを示すサービス不可情報を送信する（ステップＳ１０９）。ここまでの処理の流れを図７に示す。
【００４３】
それから、微生物同定情報受付手段１０９により、微生物特定システム３から出力される微生物同定情報を受け付ける（ステップＳ１１０）。
【００４４】
さらに、前記微生物同定情報受付手段１０９が受け付けた微生物同定情報に基づき、ポテンシャルバリュー決定手段１１０によりポテンシャルバリューを決定する（ステップＳ１１１）。
【００４５】
そして、ポテンシャルバリュー対応情報出力手段１１１により、前記ポテンシャルバリュー決定手段１１０が決定したポテンシャルバリューに対応するポテンシャルバリュー対応情報を提供者側の端末に出力する（ステップＳ１１２）。ここまでの処理の流れを図８に示す。
【００４６】
それから、ポテンシャルリターン情報受付手段１１２により、微生物特定システム３からポテンシャルリターン情報を受け付ける（ステップＳ１１３）。
【００４７】
そして、ポテンシャルリターン情報出力手段１１３により、前記ポテンシャルリターン情報受付手段１１２が受け付けたポテンシャルリターン情報を、通信インタフェース１ｇを介して提供者側の端末に出力する（ステップＳ１１４）。ここまでの処理の流れを図９に示す。
【００４８】
以上に述べたように、本実施形態に係るマイクロバイオバンクシステム１では、微生物を利用して有機廃棄物の処分を行うにあたり、受託決定手段１０６が、前記与信情報受付手段１０４が受け付けた与信情報に基づき前記微生物情報受付手段１０５が受け付けた微生物特性情報の送信の可否を判定することにより信用度の低い者の利用を排除しつつ、微生物問合せ手段１０８により微生物を示す情報を微生物特定システムに送信して微生物の同定を促すまでの操作を自動的に行うことができる。また、微生物特定システムにより微生物の同定が行われた場合に、この微生物特定システムから前記微生物同定情報受付手段１０９が受け付けた微生物同定情報に基づき、ポテンシャルバリュー決定手段１１０によりポテンシャルバリューを決定し、決定されたポテンシャルバリューをポテンシャルバリュー対応情報出力手段１１１により提供者側の端末に出力することにより、ポテンシャルバリューを決定して利用者に通知する動作も自動的に行わせることができる。
【００４９】
また、ポテンシャルリターン情報を受け付けるポテンシャルリターン情報受付手段１１２と、このポテンシャルリターン情報受付手段１１２が受け付けたポテンシャルリターン情報を出力するポテンシャルリターン情報出力手段１１３とをさらに具備するので、持ち込まれた微生物を利用して事業を行った場合に、微生物を持ち込んだ者に事業の利益から配当を行う際の推定配当額をポテンシャルリターン情報として通知できる。
【００５０】
そして、前記微生物同定情報及び前記ポテンシャルバリューを対応付けて記憶するルールテーブル１１０ａをさらに具備するので、前記微生物同定情報受付手段１０９が受け付けた微生物同定情報をキーとしてこのルールテーブル１１０ａを照会することにより、ポテンシャルバリューを速やかに決定できる。
【００５１】
なお、本発明は以上に述べた実施の形態に限られない。
【００５２】
例えば、ポテンシャルバリューの受け付け及び出力は省略してもよい。
【００５３】
また、ポテンシャルバリュー決定手段が微生物同定情報をキーとしてルールテーブルを参照しポテンシャルバリューを決定する代わりに、ポテンシャルバリューを決定させるべく外部に微生物同定情報を送信するポテンシャルバリュー問い合わせ手段と、外部からポテンシャルバリューを受け付けるポテンシャルバリュー受付手段とを備えるようにしてもよい。この場合、ポテンシャルバリューの決定は、ポテンシャルバリュー問い合わせ手段により微生物同定情報を外部のポテンシャルバリュー決定機関に向け送信し、ポテンシャルバリュー受付手段によりポテンシャルバリュー決定機関からのポテンシャルバリュー情報を受け付けることにより行う。ここで、ポテンシャルバリュー決定機関によるポテンシャルバリューの決定は、微生物同定情報の受信ないし手動入力を受け付ける微生物同定情報受付部と、前記ルールテーブルと、ポテンシャルバリューを出力するポテンシャルバリュー出力手段とを備えた情報処理装置を用いてもよく、また、人力により行うようにしてもよい。
【００５４】
加えて、新種の微生物の具体的な価値が判明した場合や社会情勢や技術的要件の変化により微生物の価値が変化した場合にルールテーブルの更新を行わせるようにすべく、新たなルールテーブルを受け付けるルールテーブル更新情報受付手段と、このルールテーブル更新情報受付手段が受け付けた新たなルールテーブルをポテンシャルバリュー決定手段に備えたルールテーブルに上書きするルールテーブル上書き手段とをさらに備えるようにしてもよい。
【００５５】
そして、微生物同定情報及びポテンシャルバリュー対応情報の少なくとも一方を、対応する微生物の微生物特性情報に関連付けて微生物特性データベースに記憶させてもよい。加えて、ポテンシャルリターン対応情報を、対応する微生物の微生物特性情報に関連付けて微生物特性データベースに記憶させてもよい。
【００５６】
その他、本発明の趣旨を損ねない範囲で種々に変更してよい。
【図面の簡単な説明】
【００５７】
【図１】本発明の一実施形態に係る微生物情報管理システムを示す概略図。
【図２】同実施形態に係る微生物情報管理システムの情報処理装置の機器構成図。
【図３】同実施形態に係る微生物情報管理システムの情報処理装置の機能ブロック図。
【図４】同実施形態に係る提供者情報仮記憶手段を模式的に示す図。
【図５】同実施形態に係る微生物特性データベースを模式的に示す図。
【図６】同実施形態に係る情報処理装置が行う処理を示すフローチャート。
【図７】同実施形態に係る情報処理装置が行う処理を示すフローチャート。
【図８】同実施形態に係る情報処理装置が行う処理を示すフローチャート。
【図９】同実施形態に係る情報処理装置が行う処理を示すフローチャート。
【符号の説明】
【００５８】
１…情報処理装置
１０１…提供者情報受付手段
１０２…提供者情報仮記憶手段
１０３…与信問合せ手段
１０４…与信情報受付手段
１０５…微生物情報受付手段
１０６…微生物特性データベース
１０７…受託決定手段
１０８…微生物問合せ手段
１０９…微生物同定情報受付手段
１１０…ポテンシャルバリュー決定手段
１１１…ポテンシャルバリュー対応情報出力手段
【図１】
0004625065.tif 000002
【図２】
0004625065.tif 000003
【図３】
0004625065.tif 000004
【図４】
0004625065.tif 000005
【図５】
0004625065.tif 000006
【図６】
0004625065.tif 000007
【図７】
0004625065.tif 000008
【図８】
0004625065.tif 000009
【図９】
0004625065.tif 000010